(57)【要約】【課題】  宝くじ券が当せんしていても、当該宝くじ券を記念として購入者に渡すことができる構造の宝くじ券を提供する。【解決手段】  ２枚の紙を接着して貼り合わせ、当該貼り合わせ面が剥離可能でかつ一旦剥離した場合には再接着が不可能な宝くじ券１であって、２枚の紙の一方の貼り合わせ面にゲーム部１２と第１の照合用データ１３とが印刷され、２枚の紙の他方の貼り合わせ面に宝くじ券に固有の第２の照合用データ１５が印刷され、第１の照合用データ１３と第２の照合用データ１５は、それら２つの照合用データに基づいて２枚の紙の組合せが正常か否か決定する情報である。【選択図】    図１
2005103832.tif 000002
【特許請求の範囲】
【請求項１】
２枚の薄平面状の基材を接着して貼り合わせ、当該貼り合わせ面が剥離可能でかつ一旦剥離した場合には再接着が不可能な抽せん券であって、
前記２枚の基材の一方の貼り合わせ面に抽せん券のゲーム情報と第１の照合用情報とが印刷され、
前記２枚の基材の他方の前記貼り合わせ面に前記抽せん券に固有の第２の照合用情報が印刷され、
前記第１の照合用情報と前記第２の照合用情報とは、それら２つの照合用情報に基づいて前記２枚の基材の組合せを決定する情報である
ことを特徴とする抽せん券。
【請求項２】
前記第１の照合用情報と前記第２の照合用情報とは、それら２つの照合用情報に基づいて当せんか否かを決定する情報である
ことを特徴とする請求項１に記載の抽せん券。
【請求項３】
前記貼り合わせ面外に抽せん券固有の識別情報が印刷されたことを特徴とする請求項１または請求項２のいずれかに記載の抽せん券。
【請求項４】
前記２枚の基材の貼り合わせ面において、端の一部を接合したことを特徴とする請求項１から請求項３のいずれかに記載の抽せん券。
【請求項５】
前記２枚の基材が貼り合わされた際に、前記第２の照合用情報が前記ゲーム情報を覆うように前記第２の照合用情報および前記ゲーム情報が印刷されたことを特徴とする請求項１から請求項４のいずれかに記載の抽せん券。
【請求項６】
前記２枚の基材が貼り合わされた際に、前記抽せん券固有の識別情報が前記ゲーム情報を覆うように前記抽せん券固有の識別情報および前記ゲーム情報が印刷されたことを特徴とする請求項１から請求項５のいずれかに記載の抽せん券。
【請求項７】
２枚の薄平面状の基材が接着して貼り合わされ、当該貼り合わせ面が剥離可能でかつ一旦剥離した場合には再接着が不可能であり、また、前記２枚の基材の一方の貼り合わせ面に抽せん券のゲーム情報と第１の照合用情報とが印刷され、前記２枚の基材の他方の前記貼り合わせ面に第２の照合用情報が印刷された抽せん券を管理する抽せん券管理装置であって、
前記第１の照合用情報と前記第２の照合用情報を受け付ける照合用情報受け付け手段と、
前記第１の照合用情報と前記第２の照合用情報とに基づいて、前記２枚の基材の組合せが正常か否かを判定する基材組合せ判定手段と、
を備えることを特徴とする抽せん券管理装置。
【請求項８】
２枚の薄平面状の基材が接着して貼り合わされ、当該貼り合わせ面が剥離可能でかつ一旦剥離した場合には再接着が不可能であり、また、前記２枚の基材の一方の貼り合わせ面に抽せん券のゲーム情報と第１の照合用情報とが印刷され、前記２枚の基材の他方の前記貼り合わせ面に第２の照合用情報が印刷された抽せん券の当せんを判定する当せん判定装置であって、
前記第１の照合用情報と前記第２の照合用情報とが、それら２つの照合用情報に基づいて当せんか否かを決定する情報であり、
前記第１の照合用情報と前記第２の照合用情報に基づいて、前記当せんか否かを判定する当せん判定手段
を備えることを特徴とする当せん判定装置。
【請求項９】
２枚の薄平面状の基材が接着して貼り合わされ、当該貼り合わせ面が剥離可能でかつ一旦剥離した場合には再接着が不可能であり、また、前記２枚の基材の一方の貼り合わせ面に抽せん券のゲーム情報と第１の照合用情報とが印刷され、前記２枚の基材の他方の前記貼り合わせ面に第２の照合用情報が印刷された抽せん券を管理する抽せん券管理装置における抽せん券管理方法であって、
前記第１の照合用情報と前記第２の照合用情報を受け付ける照合用情報受け付け過程と、
前記第１の照合用情報と前記第２の照合用情報とに基づいて、前記２枚の基材の組合せが正常か否かを判定する基材組合せ判定過程と、
を有することを特徴とする抽せん券管理方法。
【請求項１０】
２枚の薄平面状の基材が接着して貼り合わされ、当該貼り合わせ面が剥離可能でかつ一旦剥離した場合には再接着が不可能であり、また、前記２枚の基材の一方の貼り合わせ面に抽せん券のゲーム情報と第１の照合用情報とが印刷され、前記２枚の基材の他方の前記貼り合わせ面に第２の照合用情報が印刷された抽せん券の当せんを判定する当せん判定装置における当せん判定方法であって、
前記第１の照合用情報と前記第２の照合用情報とが、それら２つの照合用情報に基づいて当せんか否かを決定する情報であり、
前記第１の照合用情報と前記第２の照合用情報に基づいて、前記当せんか否かを判定する
ことを特徴とする当せん判定方法。
【請求項１１】
２枚の薄平面状の基材が接着して貼り合わされ、当該貼り合わせ面が剥離可能でかつ一旦剥離した場合には再接着が不可能であり、また、前記２枚の基材の一方の貼り合わせ面に抽せん券のゲーム情報と第１の照合用情報とが印刷され、前記２枚の基材の他方の前記貼り合わせ面に第２の照合用情報が印刷された抽せん券を管理する抽せん券管理装置のコンピュータに実行させるプログラムであって、
前記第１の照合用情報と前記第２の照合用情報を受け付ける照合用情報受け付け処理と、
前記第１の照合用情報と前記第２の照合用情報とに基づいて、前記２枚の基材の組合せが正常か否かを判定する基材組合せ判定処理と、
を実行させるためのプログラム。
【請求項１２】
２枚の薄平面状の基材が接着して貼り合わされ、当該貼り合わせ面が剥離可能でかつ一旦剥離した場合には再接着が不可能であり、また、前記２枚の基材の一方の貼り合わせ面に抽せん券のゲーム情報と第１の照合用情報とが印刷され、前記２枚の基材の他方の前記貼り合わせ面に第２の照合用情報が印刷された抽せん券の当せんを判定する当せん判定装置のコンピュータに実行させるプログラムであって、
前記第１の照合用情報と前記第２の照合用情報とが、それら２つの照合用情報に基づいて当せんか否かを決定する情報であり、
前記第１の照合用情報と前記第２の照合用情報に基づいて、前記当せんか否かを判定する処理
を実行させるためのプログラム。
【発明の詳細な説明】
【技術分野】
【０００１】
本発明は、２枚の紙が貼り合わされ、紙の貼り合わせ面に図柄や抽せん番号や「当たり」「はずれ」が印刷された抽せん券に関する。
【背景技術】
【０００２】
従来、２枚の紙を貼り合わせ、当該２枚の紙のどちらか一方の貼り合わせ面に図柄や抽せん番号や「当たり」「はずれ」を印刷した宝くじ券が販売されている（例えば、特許文献１参照）。そして、宝くじ券の購入者は上述の宝くじ券を購入すると、貼り合わされた２枚の紙を剥離し、宝くじ券が当せんしているか否かを確認する。
【特許文献１】実開平０５−０７２４７２号公報
【発明の開示】
【発明が解決しようとする課題】
【０００３】
ここで、宝くじ券（抽せん券）の販売においては、販売元（宝くじの販売を受託した銀行など）は抽せん番号などが印刷された宝くじ券（証票という）を必ず回収しなければならないということが法律で定められている。したがって、当せんした宝くじ券の購入者は、当せんの記念として当せんした宝くじ券を自分の手元に保管しておくということができない。また、貼り合わされた２枚の紙のどちらか一方の紙の貼り合わせ面に、抽せん番号ではなく「当たり」「はずれ」の情報を記載した上述の構造の宝くじ券が存在するが、「当たり」、「はずれ」が透けないような上述の構造の宝くじ券を製造することが宝くじ券の製造業者の課題となっている。
【０００４】
そこでこの発明は、抽せん券が当せんしていても、当該抽せん券を記念として購入者に渡すことができるような構造の抽せん券、および当該抽せん券の管理装置、抽せん券管理方法ならびにそのプログラム、またその抽せん券の当せん判定装置、当せん判定方法ならびにそのプログラムを提供することを目的としている。
また本発明は、貼り合わされた２枚の紙のどちらか一方の貼り合わせ面に「当たり」、「はずれ」の情報が印刷されていても、当該「当たり」、「はずれ」が透けて見えないような構造の抽せん券を提供することを目的としている。
【課題を解決するための手段】
【０００５】
本発明は、上述の課題を解決すべくなされたもので、２枚の薄平面状の基材を接着して貼り合わせ、当該貼り合わせ面が剥離可能でかつ一旦剥離した場合には再接着が不可能な抽せん券であって、前記２枚の基材の一方の貼り合わせ面に抽せん券のゲーム情報と第１の照合用情報とが印刷され、前記２枚の基材の他方の前記貼り合わせ面に前記抽せん券に固有の第２の照合用情報が印刷され、前記第１の照合用情報と前記第２の照合用情報とは、それら２つの照合用情報に基づいて前記２枚の基材の組合せを決定する情報であることを特徴とする抽せん券である。
【０００６】
また本発明は、上述の抽せん券において、前記第１の照合用情報と前記第２の照合用情報とは、それら２つの照合用情報に基づいて当せんか否かを決定する情報であることを特徴とする。
【０００７】
また本発明は、上述の抽せん券において、前記貼り合わせ面外に抽せん券固有の識別情報が印刷されたことを特徴とする。
【０００８】
また本発明は、上述の抽せん券が、前記２枚の基材の貼り合わせ面において、端の一部を接合したことを特徴とする。
【０００９】
また本発明は、上述の抽せん券において、前記２枚の基材が貼り合わされた際に、前記第２の照合用情報が前記ゲーム情報を覆うように前記第２の照合用情報および前記ゲーム情報が印刷されたことを特徴とする。
【００１０】
また本発明は、上述の抽せん券において、前記２枚の基材が貼り合わされた際に、前記抽せん券固有の識別情報が前記ゲーム情報を覆うように前記抽せん券固有の識別情報および前記ゲーム情報が印刷されたことを特徴とする。
【００１１】
また本発明は、２枚の薄平面状の基材が接着して貼り合わされ、当該貼り合わせ面が剥離可能でかつ一旦剥離した場合には再接着が不可能であり、また、前記２枚の基材の一方の貼り合わせ面に抽せん券のゲーム情報と第１の照合用情報とが印刷され、前記２枚の基材の他方の前記貼り合わせ面に第２の照合用情報が印刷された抽せん券を管理する抽せん券管理装置であって、前記第１の照合用情報と前記第２の照合用情報を受け付ける照合用情報受け付け手段と、前記第１の照合用情報と前記第２の照合用情報とに基づいて、前記２枚の基材の組合せが正常か否かを判定する基材組合せ判定手段とを備えることを特徴とする抽せん券管理装置である。
【００１２】
また本発明は、２枚の薄平面状の基材が接着して貼り合わされ、当該貼り合わせ面が剥離可能でかつ一旦剥離した場合には再接着が不可能であり、また、前記２枚の基材の一方の貼り合わせ面に抽せん券のゲーム情報と第１の照合用情報とが印刷され、前記２枚の基材の他方の前記貼り合わせ面に第２の照合用情報が印刷された抽せん券の当せんを判定する当せん判定装置であって、前記第１の照合用情報と前記第２の照合用情報とが、それら２つの照合用情報に基づいて当せんか否かを決定する情報であり、前記第１の照合用情報と前記第２の照合用情報に基づいて、前記当せんか否かを判定する当せん判定手段を備えることを特徴とする当せん判定装置である。
【００１３】
また本発明は、２枚の薄平面状の基材が接着して貼り合わされ、当該貼り合わせ面が剥離可能でかつ一旦剥離した場合には再接着が不可能であり、また、前記２枚の基材の一方の貼り合わせ面に抽せん券のゲーム情報と第１の照合用情報とが印刷され、前記２枚の基材の他方の前記貼り合わせ面に第２の照合用情報が印刷された抽せん券を管理する抽せん券管理装置における抽せん券管理方法であって、前記第１の照合用情報と前記第２の照合用情報を受け付ける照合用情報受け付け過程と、前記第１の照合用情報と前記第２の照合用情報とに基づいて、前記２枚の基材の組合せが正常か否かを判定する基材組合せ判定過程とを有することを特徴とする抽せん券管理方法である。
【００１４】
また本発明は、２枚の薄平面状の基材が接着して貼り合わされ、当該貼り合わせ面が剥離可能でかつ一旦剥離した場合には再接着が不可能であり、また、前記２枚の基材の一方の貼り合わせ面に抽せん券のゲーム情報と第１の照合用情報とが印刷され、前記２枚の基材の他方の前記貼り合わせ面に第２の照合用情報が印刷された抽せん券の当せんを判定する当せん判定装置における当せん判定方法であって、前記第１の照合用情報と前記第２の照合用情報とが、それら２つの照合用情報に基づいて当せんか否かを決定する情報であり、前記第１の照合用情報と前記第２の照合用情報に基づいて、前記当せんか否かを判定することを特徴とする当せん判定方法である。
【００１５】
また本発明は、２枚の薄平面状の基材が接着して貼り合わされ、当該貼り合わせ面が剥離可能でかつ一旦剥離した場合には再接着が不可能であり、また、前記２枚の基材の一方の貼り合わせ面に抽せん券のゲーム情報と第１の照合用情報とが印刷され、前記２枚の基材の他方の前記貼り合わせ面に第２の照合用情報が印刷された抽せん券を管理する抽せん券管理装置のコンピュータに実行させるプログラムであって、前記第１の照合用情報と前記第２の照合用情報を受け付ける照合用情報受け付け処理と、前記第１の照合用情報と前記第２の照合用情報とに基づいて、前記２枚の基材の組合せが正常か否かを判定する基材組合せ判定処理とを実行させるためのプログラムである。
【００１６】
また本発明は、２枚の薄平面状の基材が接着して貼り合わされ、当該貼り合わせ面が剥離可能でかつ一旦剥離した場合には再接着が不可能であり、また、前記２枚の基材の一方の貼り合わせ面に抽せん券のゲーム情報と第１の照合用情報とが印刷され、前記２枚の基材の他方の前記貼り合わせ面に第２の照合用情報が印刷された抽せん券の当せんを判定する当せん判定装置のコンピュータに実行させるプログラムであって、前記第１の照合用情報と前記第２の照合用情報とが、それら２つの照合用情報に基づいて当せんか否かを決定する情報であり、前記第１の照合用情報と前記第２の照合用情報に基づいて、前記当せんか否かを判定する処理を実行させるためのプログラムである。
【発明の効果】
【００１７】
以上説明したように、本発明によれば、２枚の紙（薄平面状の基材）の一方の貼り合わせ面に抽せん券のゲーム情報と第１の照合用情報とが印刷され、他方の貼り合わせ面に抽せん券固有の第２の照合用情報が印刷され、第１の照合用情報と第２の照合用情報とは、それら２つの照合用情報に基づいて２枚の紙の組合せを決定する情報である。これにより、２枚の紙が貼り合わされた宝くじ券を販売した場合に、２枚の紙を別々に切り離すことで、ゲーム情報が印刷されている紙を購入者に渡し、また抽せん券に固有の第２の照合用情報を証票として宝くじ売り場で受け取ることができる。したがって、法律で定められている証票の回収の課題を解決できると共に、当せんした抽せん券を記念品などとして購入者に渡すことができる。また、ゲーム情報の印刷された紙片を購入者に渡してしまうと、例えば、ゲーム情報が当たりとなっている紙片と、第２の照合用情報が印刷された紙片のうちハズレとなった紙片とを接合して、当せんした抽せん券を偽造することが可能となってしまう。したがって、購入者に対して、抽せん券を構成する２枚の紙を切り離さずに宝くじ売り場に持ち込ませるようにして、また第１の照合用情報と第２の照合用情報を確認することで抽せん券を構成する２枚の紙の組合せが正常であると判定できた場合にのみ、当せん金を支払うようにすれば、不正な抽せん券の偽造や、当せん金の不正な受け取りを防ぐことができる。
【００１８】
また、本発明によれば、第１の照合用情報と前記第２の照合用情報とは、それら２つの照合用情報に基づいて当せんか否かを決定する情報である。これにより、宝くじ売場の端末において、宝くじ券管理装置に問い合わせなくても抽せん券が当せんか否かを判断することが可能となる。
【００１９】
また、本発明によれば、上述の抽せん券において、前記貼り合わせ面外に抽せん券固有の識別情報が印刷されたことを特徴とする。これにより、抽せん券の２枚の貼り合わされた紙を剥離しなくても、抽せん券各々を識別することができる。
【００２０】
また、本発明によれば、上述の抽せん券が、前記２枚の基材の貼り合わせ面において、端の一部を接合したことを特徴とする。これにより、抽せん券を構成する２枚の紙が分離しにくくなるので、第２の照合情報を印刷した紙片を捨ててしまうことを軽減することができ、またゲーム情報の印刷された紙片だけを宝くじ売り場に持ってきて当せん金を支払うことができなくなるような状況を軽減することができる。
【００２１】
また、本発明によれば、２枚の基材が貼り合わされた際に、第２の照合用情報がゲーム情報を覆うように第２の照合用情報およびゲーム情報が印刷される。これにより、例えばライトなどを用いて、抽せん券を透かしてみても、第２の照合用情報でゲーム情報が覆われるので、「当たり」「はずれ」などのゲーム情報を透かして見ることができなくなる。
【００２２】
また、本発明によれば、２枚の基材が貼り合わされた際に、抽せん券固有の識別情報がゲーム情報を覆うように抽せん券固有の識別情報およびゲーム情報が印刷される。これにより、抽せん券固有の識別番号でゲーム情報が覆われるので、「当たり」「はずれ」などのゲーム情報を透かして見ることができなくなる。
【００２３】
また、本発明によれば、抽せん券管理装置が、第１の照合用情報と第２の照合用情報を受け付け、また、第１の照合用情報と第２の照合用情報とに基づいて、２枚の基材の組合せが正常か否かを判定する。これにより、抽せん券が偽造されていないかを確認することができる。
【００２４】
また、本発明によれば、第１の照合用情報と第２の照合用情報とが、それら２つの照合用情報に基づいて当せんか否かを決定する情報であり、その２つの照合用情報が印刷された抽せん券の当せんを判定する当せん判定装置が、第１の照合用情報と第２の照合用情報に基づいて、当せんか否かを判定する。これにより、例えば当せん判定装置が、宝くじ売場の端末に備えられていれば、宝くじ売場の端末は特に宝くじ管理装置に問合せしなくても、宝くじ券が当せんしているか否かを判定することができる。
【発明を実施するための最良の形態】
【００２５】
以下、本発明の実施形態による宝くじ券を図面を参照して説明する。図１は同実施形態による宝くじ券の構造を示す図である。この図において、符号１は宝くじ券（抽せん券）である。またａは宝くじ券１の表面であり、またｂは宝くじ券１の裏面である。ここで宝くじ券１の裏面には整理番号（抽せん券固有の識別情報）１１が印刷されている。この整理番号１１は宝くじ券を特定するための番号であり、例えば、この整理番号１１は、宝くじ券１の種類や回号や宝くじ券１の通し番号などの宝くじ券固有の情報を保持している。なお本実施形態においては宝くじ券１の裏に印刷された整理番号１１はバーコードで表示されている。
【００２６】
そして宝くじ券１は２枚の紙（薄平面状の基材）が貼り合わされており、一方の紙の貼り合わせ面には宝くじ券１の図柄や抽せん番号や「当たり」「はずれ」など（ゲーム情報）が印刷されている。ここで宝くじ券の図柄や抽せん番号や「当たり」「はずれ」が印刷されている面をゲーム部１２と呼ぶ。このゲーム部１２には図柄や抽せん番号や「当たり」「はずれ」の情報の他に第１の照合用データ（第１の照合用情報）１３が印刷されている。なお照合用データは、宝くじ売り場において宝くじ券１の当せん照合を行なう時に、宝くじ券が偽造されていないかや、当該宝くじ券が当せんか否かを確認するために用いるデータである。
【００２７】
また宝くじ券１の他方の紙の貼り合わせ面には、第２の照合用データ（第２の照合用情報）１５が印刷されている。この第２の照合用データ１５が印刷されている面を照合部１４と呼ぶ。ここで、ゲーム部１２に印刷された第１の照合用データ１３と、照合部１４に印刷された第２の照合用データ１５とは関連性があり、本実施形態においては第２の照合用データ１５は、上述の整理番号１１に４桁の数字を加えたものであり、また第１の照合用データ１３は第２の照合用データ１５の下４桁の番号を反転した番号である。なお、本実施形態においては第１の照合用データ１３および第２の照合用データ１５は共にバーコードで表示されている。
【００２８】
また宝くじ券１は２枚の紙がそれぞれ容易に切り離されないように、貼り合せた紙の端の一部が接合されており、これを接合部１６と呼ぶ。この接合部１６においては、例えば、接着剤などで２枚の紙を接合している。なお、この接合部１６の接着強度は人の力で２枚の紙が切り離せる程度の強度である。また宝くじ券１を構成する２枚の紙は、貼り合わせ面に透明フィルムが積層されている。そして２枚の紙の貼り合わせ面は擬似接着剤により貼り合わされて宝くじ券１を形成しており、宝くじ券１の購入者が一旦２枚の紙の貼り合わせ面を剥離すると再接着不能となるような仕組みとなっている。なお擬似接着剤を用いてフィルムを積層した２枚の紙を剥離可能にかつ一旦剥離すると再接着不可能となるように接着する方法は公知であり、例えば特開平１１−１９８５６９に記載されている。
【００２９】
また、図２は宝くじ券を構成する２枚の紙が剥離される前状態を示す図である。この図が示すように、宝くじ券１の購入者が２枚の紙の貼り合わせ面を剥離する前にはゲーム部１２と照合部１４が重ね合わされている。そして、照合部１４の第２の照合用データ１５のバーコードが、ゲーム部１２の図柄や抽せん番号や「当たり」「はずれ」などの情報を覆うように印刷されている。また宝くじ券１の裏面に印刷された整理番号についても、ゲーム部１２の図柄や抽せん番号や「当たり」「はずれ」などの情報を覆うように印刷されている。
【００３０】
また、図３はゲーム部と照合部がそれぞれ印刷された２枚の紙を分離させた状態を示す図である。この図が示すように、宝くじ売り場の販売員は、購入者の宝くじ売り場の店頭に持ち込んだ宝くじ券１が当せんしている場合には、ゲーム部１２の印刷された紙片と照合部１４の印刷された紙片を接合部１６で切り離す。そして、宝くじ売り場の販売員は、照合部１４の印刷された紙を証票として回収し、ゲーム部１２の印刷された紙を購入者に渡す。なお、宝くじ売り場の販売員は、ゲーム部１２の印刷された紙と照合部１４の印刷された紙を接合部１６で切り離す前に、宝くじ売り場の端末に備えられたバーコード読み取り装置を用いて、第１の照合用データ１３のバーコードと第２の照合用データ１５のバーコードを読み取る。そして、宝くじ売り場の端末が、第１の照合用データ１３と第２の照合用データ１５とに基づいて、宝くじ券１を構成するゲーム部１２の印刷された紙と照合部１４の印刷された紙の組合せが正常であると表示した場合にのみ、当せん金を支払う。
【００３１】
次に、上述の宝くじ券の製造や販売管理について説明する。
図４は宝くじ券の販売元が有する宝くじ券管理装置と宝くじ売り場の端末で構成される宝くじ券管理システムを示す図である。この図において符号２は宝くじ券管理装置（抽せん券管理装置）である。そして宝くじ券管理装置２において符号２１は宝くじ券１のデータを生成するデータ生成部である。また２２はデータ生成部２１の生成した宝くじ券１のデータを記憶するデータベースである。また２３は宝くじ売り場に持ち込まれた宝くじ券１の当せん照合や、宝くじ券１のゲーム部１２と照合部１４の組合せが正常か否かの照合を行なう照合処理部（照合用情報受け付け手段、基材組合せ判定手段）である。また２４は宝くじ売り場から販売元に返送された売れ残り宝くじ券の残券処理を行なう残券処理部である。また２５は当せん金支払い済みの宝くじ券が宝くじ売り場から配送されてきたことを示す清算情報を登録する清算処理部である。また符号３は宝くじ売り場である。そして宝くじ売り場３において符号３１は端末である。なお端末３１にはバーコード読み取り装置が備えられている。また端末３１と宝くじ券管理装置２はネットワークを介して接続されており、バーコード読取装置の読み取ったバーコードのデータが端末３１を介して宝くじ券管理装置２に送信される。
【００３２】
図５はデータベース２２で記憶する宝くじ券のデータテーブルを示す図である。この図で示すように、データベース２２は、宝くじ券ごとの整理番号１１と第１の照合用データ１３と第２の照合用データ１５とゲームデータと残券情報と清算情報と当せん情報を対応付けて記憶している。ここでゲームデータは宝くじ券１のゲーム部１２に印刷するデータであり、例えば抽せん番号でも、「当たり」「はずれ」を示す情報であってもよい。また残券情報は、宝くじが売れ残って宝くじ売り場から返送されてきたか否かを示す情報であり、当該残券情報が「１」である場合に売れ残りを示す。また清算情報は当せん金が支払い済みの宝くじ券１が、宝くじ売り場３から返送されてきたか否かを示す情報であり、当該清算情報が「１」である場合に当せん金支払済みの宝くじ券１が宝くじ売り場３から返送されてきたことを示す。また当せん情報は当せんか否かを示す情報であり、当該当せん情報が「０」以外を示す場合に当せんであることを示す。なお例えば当せん情報として当せんの等級を保持させるようにしてもよい。その場合、例えば当せん情報が「１」の場合は１等、「２」の場合は２等とする。
【００３３】
そして、宝くじ券の販売元の担当者は、まず宝くじ券１のデータを生成するよう宝くじ券管理装置２に指示する。すると、宝くじ券管理装置２のデータ生成部２１は図５で示した宝くじ券１のデータを生成し、データベース２２に記録する。次に、宝くじ券１の販売元は宝くじ券の製造業者に宝くじ券１の製造を依頼する。この時宝くじ券の製造者は宝くじ券製造装置にデータベース２２で記憶している宝くじ券のデータを読み込ませ、宝くじ券１を製造する。また宝くじ券の販売元は製造された宝くじ券１を宝くじ売り場に配送し、宝くじ売り場３において宝くじ券１が販売される。
【００３４】
次に、購入者が当せんした宝くじ券１を宝くじ売り場３の店頭に持ち込んできた場合、宝くじ売り場３の販売員は宝くじ券１のゲーム部１２と照合部１４が切り離されていないか否かを確認する。そして、ゲーム部１２に印刷されている第１の照合用データ１３を示すバーコードと、照合部１４に印刷されている第２の照合用データ１５を示すバーコードを、宝くじ売り場の端末３１に備えられているバーコード読取装置を用いて読み取る。端末３１はネットワークを介して宝くじ券管理装置２に第１の照合用データ１３と第２の照合用データ１５を送信する。
【００３５】
次に、宝くじ券管理装置の当せん照合の処理を図６を用いて説明する。図６は当せん照合の処理フローを示す図である。
端末３１から送信された第１の照合用データ１３と第２の照合用データ１５を宝くじ券管理装置２の照合処理部２３が受信する（ステップＳ１）。そして照合処理部２３は、第２の照合用データ１５の下４桁の値と、第１の照合用データ１３の４桁を反転した値とを比較して一致するか否かを確認する（ステップＳ２）。また照合処理部２３は第２の照合用データ１５に対応付けられてデータベース２２に記録されている清算情報を読み取って、当該清算情報の示す情報によって、当せん金が支払い済みか否かを確認する（ステップＳ３）。さらに照合処理部２３は第２の照合用データ１５に対応付けられてデータベース２２に記録されている当せん情報を読み取って、当該照合用データの宝くじ券が当せんしているかと、当せんしている場合にはその等級とを確認する（ステップＳ４）。そして照合処理部２３は、ゲーム部１２と照合部１４の組合せが合っているか否かの情報と、当せん金が支払済みか否かの情報と、当せんしているか否かの情報と、当せんしている場合には当せんの等級とを端末３１に通知する（ステップＳ５）。また端末３１は宝くじ券管理装置２から受信した情報を例えばモニタなどに表示する。そして宝くじ売り場３の販売員は、宝くじ券１のゲーム部１２と照合部１４の組合せが合っている場合には、偽造などがない宝くじ券であると判断し、また、清算済みでなくかつ宝くじ券１のゲーム部１２に印刷されている情報が「当たり」を示している場合や、端末のモニタが「当たり」を表示している場合には、当せん金を購入者に支払う。
【００３６】
なお、本実施形態における当せん照合の仕組みはステップＳ２で示したように、第２の照合用データ１５の下４桁の値と、第１の照合用データ１３の４桁を反転した値とを比較して一致するか否かを確認し、これによって宝くじ券が当せんしているか否かを確認している。しかし、例えば、第１の照合用データ１３をハッシュ関数などの一方向関数に入力し、その結果得られた値が第２の照合用データ１５と同一である場合に当せんと判定するような、演算を用いた当せん照合の仕組みであってもよい。つまり、第１の照合用データ１３と第２の照合用データ１５とは、それら２つの照合用データに基づいて当せんか否かが決定される情報である。そしてこの場合、宝くじ売場の端末を、第１の照合用データ１３と第２の照合用データ１５とを演算する機能（当せん判定手段）を備えた当せん判定装置とし、その宝くじ売場３の端末３１だけで当せん照合ができるようにしても良い。
【００３７】
次に、売れ残った宝くじ券の残券処理をする際の販売元の担当者の処理について説明する。まず、宝くじ売り場３の販売者は売れ残った宝くじ券１を販売元に返送する。すると、販売元の担当者は宝くじ券１の裏面ｂに表示された整理番号１１のバーコードをバーコード読取装置を用いて読み取る。すると残券処理部２４はバーコード読取装置の読み取ったバーコードから整理番号１１を検出し、当該整理番号１１に対応する残券情報を「０」から「１」に書き換える。これにより、宝くじ券１には裏面ｂに整理番号１１が印刷されているので、販売元の担当者は宝くじ券１の貼り合わされたゲーム１２部と照合部１４の紙を剥離しなくても、どの宝くじ券が売れ残った宝くじ券かを宝くじ券管理装置２に登録することができる。
【００３８】
次に、当せんした宝くじ券１の照合部１４が販売元に返送された際の販売元の担当者の処理について説明する。まず宝くじ売り場３の販売員は、当せん金を支払った宝くじ券については、ゲーム部１２と照合部１４の接合部１６を切り離し、ゲーム部１２の紙のみを購入者に返却し、照合部１４の紙を証票として受け取る。そして、宝くじ売り場の販売員は照合部１４の紙を販売元へ返送する。次に販売元の担当者は、返送された照合部１４の紙からバーコード読取装置を用いて第２の照合用データ１５を示すバーコードを読み取る。すると清算処理部２６にバーコードのデータが送信され、清算処理部２６がバーコードのデータから第２の照合用データ１５を検出し、当該第２の照合用データ１５に対応する清算情報を「０」から「１」に書き換える。これにより、当せん金が支払われ、また証票として照合部１４の紙が返送された宝くじ券１を宝くじ券管理装置２に登録しておくことができる。
【００３９】
なお、上述の宝くじ券管理装置は内部に、コンピュータシステムを有している。そして、上述した宝くじ券管理装置における処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００４０】
【図１】本発明の実施形態による宝くじ券の構造を示す図である。
【図２】本実施形態による宝くじ券を構成する２枚の紙が剥離される前状態を示す図である。
【図３】本実施形態による宝くじ券のゲーム部と照合部がそれぞれ印刷された２枚の紙を分離させた状態を示す図である。
【図４】本実施形態による宝くじ券管理システムを示す図である。
【図５】本実施形態による宝くじ券管理装置のデータベースで記憶する宝くじ券のデータテーブルを示す図である。
【図６】本実施形態による宝くじ券管理装置の当せん照合の処理フローを示す図である。
【符号の説明】
【００４１】
１  宝くじ券
１１  整理番号
１２  ゲーム部
１３  第１の照合用データ
１４  照合部
１５  第２の照合用データ
２  宝くじ券管理装置
２１  データ生成部
２２  データベース
２３  照合処理部
２４  残券処理部
２５  清算処理部
３  宝くじ売り場
３１  端末
【図１】
2005103832.tif 000003
【図２】
2005103832.tif 000004
【図３】
2005103832.tif 000005
【図４】
2005103832.tif 000006
【図５】
2005103832.tif 000007
【図６】
2005103832.tif 000008